(57)【要約】【課題】    従来の工具は、締付体の締め付けを緩め、トリマー本体のラックにピニオンを歯合し、ピニオンに設けたつまみを回転してトリマー本体を筒状体に対し上下動させて、刃の出る長さを調節する。この工具では、トリマー本体と筒状体を緩めた状態で調節をするためガタツキが生じ、刃の出る長さを微調節できない。本発明は刃の出る長さを微調節することが出来るようにしている。【解決手段】トリマー本体を保持する締付具は筒状をしており、扉と底板と、前記扉を閉じた場合前記扉が開かないようにする固定具とを備え、前記締付具と一体となって移動する第１の制御板が設けられ、この第１の制御板と直行して支持台に支柱板が設けられ、この支柱板に上記第１の制御板と平行して第２の制御体が取り付けられ、固定されている前記第２の制御板に対し前記第１の制御板を上下動させるネジを設けたことを特徴とする。【選択図】図１
2020037244.tif 000002
【特許請求の範囲】
【請求項１】
トリマー本体を保持することが出来る締付具は筒状をしており、扉と前記トリマー本体の底部を受けると共に前記トリマー本体の刃を通過させる開放部を有する底板と、前記扉を閉じた場合前記扉が開かないようにする固定具とを備え、前記締付具と一体となって移動する第１の制御板が設けられ、この第１の制御板と直行して支持台に支柱板が設けられ、この支柱板に上記第１の制御板と平行して第２の制御体が取り付けられ、固定されている前記第２の制御板に対し前記第１の制御板を上下動させるネジを設け、さらに、前記締付具と前記支柱板を固定することが出来る部材を設けたことを特徴とする工具。
【請求項２】
前記締付具には前記トリマー本体の側部に当たって前記トリマー本体を支持する３点が存在することを特徴とする請求項１記載の工具。
【請求項３】
前記トリマー本体の径が小さい場合、前記３点のところにスペーサーを当てることを特徴とする請求項２記載の工具。
【請求項４】
前記トリマー本体の刃を照らすＬＥＤを前記支持台に設けたことを特徴とする請求項１記載の工具。
【請求項５】
前記支柱板に直交して、ワークの加工中心となる突片を設けたガイド体を支持台に取り付け、前記ガイド体に２個のスライド体を被せ、このスライド体をそれぞれスライド自在とするか否かを制御するネジを設け、前記スライド体にそれぞれ設けた突出片に前記スライド体を前後させるボルトを設けたことを特徴とする請求項１記載の工具。
【請求項６】
作業台に長穴を設け、この長穴に前記トリマー本体の刃を突出させる孔を設け、作業台の裏面に、支持台に設けた取付板を挿入するための一対の取り付け治具と、前記ガイド体の後端を支持するストッパーとを取り付けた請求項５記載の工具。
【請求項７】
前記作業台の前記長穴に直交して配置した角棒に、固定棒を前記角棒に直交して取り付け、前記固定棒を前記ガイド体に、前記作業台の前記長穴を介して取り付けたことを特徴とする請求項５記載の工具。
【発明の詳細な説明】
【技術分野】
【０００１】  本発明はトリマーを用いてワークを加工することが出来る工具に関するものである。
【背景技術】
【０００２】  トリマーを使用して木等のワークを加工する工具として知られているものに特開２０００−２５００７号公報に記載のものがある。トリマー本体はベース上に設けられた筒状体に挿入され、締付体によって締付けられてトリマー本体は筒状体と一体となる。トリマー本体の下端から突出する刃はベースから一定長さ出る。この長さを調節するためには、締付体の締付けを緩め、トリマー本体を上下動自在にして、刃の出る長さを調節する。
【先行技術文献】
【０００３】
【特許文献】
【特許文献１】特開２０００−２５００７号公報
【発明の概要】
【発明が解決しようとする課題】  上記特許文献に記載されている工具は、締付体の締め付けを緩め、トリマー本体に縦方向に設けられた直線状のラックに歯合しているピニオンのつまみを回転してトリマー本体を筒状体に対し上下動させて、操作者が好むと感じられるあたりで締付体を締付け刃の出る長さを調節する。この工具では、トリマー本体と筒状体を緩めた状態で調節をするためガタツキが生じ、刃の出る長さを微調節できない。本発明は刃の出る長さを微調節することが出来る工具を提供することを目的とする。
【課題を解決するための手段】
【０００４】  本発明の工具は、トリマー本体を保持することが出来る締付具は筒状をしており、扉と前記トリマー本体の底部を受けると共に前記トリマー本体の刃を通過させる開放部を有する底板と、前記扉を閉じた場合前記扉が開かないようにする固定具とを備え、前記締付具と一体となって移動する第１の制御板が設けられ、この第１の制御板と直行して支持台に支柱板が設けられ、この支柱板に上記第１の制御板と平行して第２の制御体が取り付けられ、固定されている前記第２の制御板に対し前記第１の制御板を上下動させるネジを設け、さらに、前記締付具と前記支柱板を固定することが出来る部材を設けたことを特徴とする。【０００５】  また、前記締付具には前記トリマー本体の側部に当たって前記トリマー本体を支持する３点が存在することを特徴とする。
また、前記トリマー本体の径が小さい場合、前記３点のところにスペーサーを当てることを特徴とする。
また、前記トリマー本体の刃を照らすＬＥＤを前記支持台に設けたことを特徴とする。
また、前記支柱板に直交して、ワークの加工中心となる突片を設けたガイド体を支持台に取り付け、前記ガイド体に２個のスライド体を被せ、このスライド体をそれぞれスライド自在とするか否かを制御するネジを設け、前記スライド体にそれぞれ設けた突出片に前記スライド体を前後させるボルトを設けたことを特徴とする。【０００６】  また、作業台に長穴を設け、この長穴に前記トリマー本体の刃を突出させる孔を設け、作業台の裏面に、支持台に設けた取付板を挿入するための一対の取り付け治具と、前記ガイド体の後端を支持するストッパーとを取り付けたことを特徴とする。
さらに、前記作業台の前記長穴に直交して配置した角棒に、固定棒を前記角棒に直交して取り付け、前記固定棒を前記ガイド体に、前記作業台の前記長穴を介して取り付けたことを特徴とする。
【発明の効果】
【０００７】  以上のように本発明の工具によれば、トリマー本体は締付具に確実に取り付けることが出来るので締付具を上下動させることにより、ガタツキ無くトリマー本体の刃を好みの長さに微調節して出すことが出来る。また、トリマー本体は３点支持により締付具に支持されるので取り付けは確実である。また、径の小さいトリマー本体の場合には、３点支持のところにスペーサーを入れればよく、異なるメーカのトリマー本体にも適用できる。作業台、特殊な治具を用いることにより、ワークにリング状の溝、直線状に溝を設けることが出来る。
【図面の簡単な説明】
【０００８】
【図１】  本発明の実施例における工具の側面図である。
【図２】  同工具の上面図である。
【図３】  同工具を支持する作業台の裏面図である。
【図４】  同工具を取り付けた状態を、一部を断面にして示す同作業台の裏面図である。
【図５】  同作業台の平面図である。
【図６】  同作業台に治具を取り付けた状態を示す同作業台の平面図である。
【図７】  同作業台の一部分の側面図である。
【図８】  同作業台の他の一部分の側面図である。
【図９】  同治具の裏面図である。
【図１０】  同工具の一部分の背面図である。
【図１１】  同工具に使用することが出来る部品の斜視図である。
【発明を実施するための形態】
【実施例】
【０００９】  以下本発明の実施の形態について図面とともに説明する。
図１、図２に示すように、トリマー本体１（トリマー本体の外側を取り巻く透明のカバーを除く。）を取り巻くように締付具２を設ける。この締付具２は鉄等の金属で作られる。そして、上方はすべて抜けており、下方にはトリマー本体１の刃３が通る部分（開放部）を除き底板２ｃ（図２）が設けられている。さらに、締付具２には開閉自在な扉２ａが設けられ、キャッチクリップ２ｂ等の固定具によりきっちりと閉じられる。【００１０】  トリマー本体１を締付具２に挿入し、底板２ｃにトリマー本体１の底部を当て、扉２を締めキャッチクリップ２ｂできっちりと締める。このとき、トリマー本体１の側部は扉２ａに対向する背面板２ｄと扉２ａの両側部の３点に当たり、キャッチクリップ２ｂで締付けるとトリマー本体１と締付具２とは強固に固定される。トリマー本体１は各メーカによりサイズがまちまちであり、図１ではトリマー本体１の径が最大のものを用いており、それより小さい径の場合には図１１に示すスペーサー１６を上記３点のところに当てる。径によってスペーサー１６は色々な厚みの物を準備する。【００１１】  締付体２には背面板２ｄの上端部から扉２ａと反対の方向に延びる第１の制御板４が設けられている。この第１の制御板４はトリマー本体１、締付具２と共に上下動するようになっている。第１の制御板４には支柱板が挿通するための繰り抜き６（点線で示すところ）が設けられている。【００１２】  支柱板５の上端にはビス７ａ、７ｂにより第２の制御板８が取り付けられている。この第２の制御板８は第１の制御板４と平行に設けられている。第１の制御板４の上端と第２の制御板８の下端にそれぞれナット９，１０が固定されている。これらのナット９．１０にはネジ１１が螺合している。ネジ１１の上方は筒体１２を介してつまみ１３に結合されている。【００１３】  支柱板５の下端は支持台１４にビス１５ａ、１５ｂに結合されている。従がってつまみ１３を回転させることにより、支柱板５に対しトリマー本体１、締付具２を一体に上下動させることが出来る。図１０に示すように、支柱板５には縦方向に長穴２０が設けられており、ここにネジ１８が入る。このネジ１８にはナット２１とワッシャ２２が螺合しており、さらにネジ１８の先端は締付具２の背面板２ｄに螺合している。ネジ１８のつまみ１９を回しワッシャ２２を支柱板５に当てる共にネジ１８の先端を背面板２ｄに螺合するとトリマー本体１は締付具２を介して支柱板５に結合され両者は動くことはない。【００１４】  図１０に示すように、支柱板５の両側にはＬ字型の規制板２３ａ、２３ｂが設けられ、規制板２３ａ、２３ｂはビス１７ａ、１７ｂ、１７ｃ、１７ｄにより背面板２ｄに取り付けられている。この規制板２３ａ、２３ｂにより支柱板５が左右にぶれないようになっている。支持台１４には支持台１４に直交して取付板２４が設けられ、この取付板２４には治具２５を介して、ＬＥＤ２６が取り付けられ、このＬＥＤ２６はトリマー本体１の刃３を照らすようになっている。【００１５】  支持台１４と支柱板５には長いガイド体２７の一端が固定されている。ビス２８は固定具一つであり他にもいくつものビスがある。ガイド体２７には二つのスライド体２９，３０が被せられている。スライド体２９，３０には突出片３１，３２が設けられ、ナット３３，３４が固定されている。これらのナット３３，３４に一本のボルト３５が螺合しており、ボルト３５の先端にはつまみ３６が設けられている。【００１６】  スライド体２９，３０にはスライド体２９，３０のスライドを規制するネジ３７，３８が設けられている。スライド体２９にはガイド体２７の裏面に沿って片３９が設けられ、この片３９に下方に向け中心となる突起（中心軸）４０が設けられている。ネジ３７を締めつけ、ネジ３８を緩めてつまみ３６を回すとスライド体３０はスライド体２９の方に寄る。また、ネジ３７を緩めネジ３８を締めつけてつまみ３６を回すとスライド体２９が移動する。これにより、中心となる突起４０の位置調整が出来る。【００１７】  図５に示す金属よりなる作業台４１の裏面に木でできた枠体４２ａ、４２ｂ、４２ｃ、４２ｄを取り付ける。図３、図５に示すように中央に長穴４３を貫通して設ける。長穴４３の一端には径のすこし大きな孔４４が設けられている。この孔４４の左右に取り付け治具４５ａ、４５ｂがビス４６ａ、４６ｂ、４６ｃ、４６ｄにより取り付けられている。取り付け治具４５ａ（４５ｂ）は図７に示すように先端は開放端になっており、先端に行くほど開きは大きくなっている。また、長穴４３の後端から離れストッパー４７が設けられている。ストッパー４７は第８図に示すように、前方が開放されており、後端にねじ４８とつまみ４９が設けられている。【００１８】  図１に示す装置を図４に示すように取り付ける。取り付けに際しては取付板２４を取り付け治具４５ａ、４５ｂと作業台４１の間に挿入し最も奥まで挿入する。そして、ガイド体２７をストッパー４７に差し込み、後端をストッパー４７のネジ４８で止める。図５に示すように片３９の突起（中心軸）４０とトリマー本体１の刃３が長穴４３から突出している。【００１９】  図９に示す別の治具５０が設けられる。この治具５０は木製の角棒５１に直交して平板５２が設けられている。平板５２には二つの立ち上がり部５３ａ、５３ｂが設けられ、接着剤またはビスで角棒５１に取り付けられている。さらに、角棒５１に直交し平板５２に固定棒５４が設けられている。この固定棒５４には角棒５１側に透孔５５が設けられ、この透孔５５に突起（中心軸）４０が入るようになっている。【００２０】  固定棒５４の先端にはネジ５６とその頭部に設けられたつまみ５７とネジ５６の近くに設けられた突起５８が設けられている。ネジ５６は長穴４３を介して装置側に設けられたネジ穴に結合され、突起５８は装置側に設けた孔に嵌合する。【００２１】  次にこの装置の動作に付いて説明する。
図１に示すようにトリマー本体１の底部を締付具２の底板２ｃに当て、締付具２の扉２ａを締めキャッチクリップ２ｂを用いてトリマー本体１を締付具２に強固に取り付ける。次に、つまみ１３を回転させ、ネジ１１を回わすと支柱板５に沿ってトリマー本体１と締付具２とが一体に上下動する。これによってトリマー本体１の刃３を上下動させることが出来る。刃３を好みの長さ出した状態でつまみ１９を締付けるとトリマー本体１は支柱板５に固定される。【００２２】  この装置ではトリマー本体１は締付具２に確実に取り付けることが出来るので締付具２を上下動させることにより、ガタツキ無くトリマー本体１の刃３を好みの長さに微調節して出すことが出来る。
この図１、図２に示す装置を図４に示すように作業台４１に取り付ける。そして治具を用いて作業台４１を作業机に装置を下に向けて固定する。すると、突起（中心軸）４０、刃３を作業台４１の長穴４３から突出させることが出来る。突起（中心軸）４０の位置は図１、図２のスライド体２９、３０、ボルト３５、ネジ３７、３８等により調節することが出来る。【００２３】  ワークの中心孔に突起（中心軸）４０を嵌入しワークを持って回すと刃３によって溝がリング状に掘られる。また、図６に示すように治具５０の角棒５１を作業台４１上に設置し、ネジ５６をつまみ５７を回して装置に締付ける。ワークを角棒５１に沿わせてスライドさせると刃３により縦溝が作られる。
【産業上の利用可能性】  本発明は、トリマー本体の刃を好みの長さ作業台から出す場合に正確にこれを行うことが出来る工具として利用できるものである。
【符号の説明】
【００２４】１：トリマー本体
２：締付具
２ａ：扉
２ｂ：キャッチクリップ
２ｃ：底板
２ｄ：背面板
３：刃
４：第１の制御板
５：支柱板
６：繰り抜き
７ａ、７ｂ：ビス
８：第２の制御板
９、１０：ナット
１１：ネジ
１２：筒体
１３：つまみ
１４：支持台
１５ａ、１５ｂ：ビス
１６：スペーサー
１７ａ、１７ｂ：ビス
１８：ネジ
１９：つまみ
２０：長穴
２１：ナット
２２：ワッシャ
２３ａ、２３ｂ：規制板
２４：取付板
２５：治具
２６：ＬＥＤ
２７：ガイド体
２８：ビス
２９、３０：スライド体
３１、３２：突出片
３３、３４：ナット
３５：ボルト
３６：つまみ
３７、３８：ネジ
３９：片
４０：突起
４１：作業台
４２ａ、４２ｂ、４２ｃ、４２ｄ：枠体
４３：長穴
４４：孔
４５ａ、４５ｂ：取り付け治具
４６ａ、４６ｂ、４６ｃ、４６ｄ：ビス
４７：ストッパー
４８：ネジ
４９：つまみ
５０：治具
５１：角棒
５２：平板
５３ａ、５３ｂ：立ち上がり部
５４：固定棒
５５：透孔
５６：ネジ
５７：つまみ
５８：突起
【図１】
2020037244.tif 000003
【図２】
2020037244.tif 000004
【図３】
2020037244.tif 000005
【図４】
2020037244.tif 000006
【図５】
2020037244.tif 000007
【図６】
2020037244.tif 000008
【図７】
2020037244.tif 000009
【図８】
2020037244.tif 000010
【図９】
2020037244.tif 000011
【図１０】
2020037244.tif 000012
【図１１】
2020037244.tif 000013